(57)【特許請求の範囲】
【請求項１】
載置される原稿を読み取る第１スキャナと、
用紙セット部に載置された原稿を搬送しながら読み取る第２スキャナと、
前記第１スキャナが前記第２スキャナの下方の領域に収納されるように、前記第１スキャナを移動可能に支持する機構と、
昇降可能に支持される部材と、
前記部材を昇降させるアクチュエータと、
前記第１スキャナに原稿が載置されているかどうかを検出する第１用紙検出センサと、
前記第１スキャナに原稿が載置されたときに前記部材が下降するように、前記アクチュエータを制御するアクチュエータ制御部とを備え、
前記部材は、前記第２スキャナから排紙される原稿が載置され、前記第１スキャナが前記領域から引き出されているときに下降することにより、前記第１スキャナにより読み取られる原稿を押さえる
画像読取装置。
【請求項２】
前記用紙セット部に原稿が載置されているかどうかを検出する第２用紙検出センサをさらに備え、
前記アクチュエータ制御部は、前記用紙セット部に原稿が載置されているときに、前記部材が下降するように、前記アクチュエータを制御する
請求項１に記載の画像読取装置。
【請求項３】
前記部材に原稿が載置されているかどうかを検出する第３用紙検出センサをさらに備え、
前記アクチュエータ制御部は、前記第２スキャナが原稿を読み取った後で、前記部材に原稿が載置されていないときに、前記部材が上昇するように、前記アクチュエータを制御する
請求項１または請求項２に記載の画像読取装置。
【請求項４】
前記アクチュエータ制御部は、前記第１スキャナが原稿を読み取った後で、前記部材に原稿が載置されていないときに、前記部材が上昇するように、前記アクチュエータを制御する
請求項３に記載の画像読取装置。
【請求項５】
前記第１スキャナが前記領域から引き出されているかどうかを検出する引出センサと、
前記第１スキャナが前記領域から引き出され、かつ、前記用紙セット部に原稿が載置され、かつ、前記第１スキャナに原稿が載置されたときに、前記第１スキャナと前記第２スキャナとが並行して原稿を読み取るように、前記第１スキャナと前記第２スキャナとを制御するスキャナ制御部
とをさらに備える請求項２〜請求項４のいずれか一項に記載の画像読取装置。
【請求項６】
前記部材は、前記第１スキャナにより読み取られる原稿に接する領域が平坦に形成される
請求項１〜請求項５のいずれか一項に記載の画像読取装置。
【発明の詳細な説明】
【技術分野】
【０００１】
本発明は、画像読取装置に関する。
【背景技術】
【０００２】
申込用紙等に例示される複数枚の薄手の用紙と、パスポートに例示される厚みがある原稿との両方を適切に読み取ることができる画像読取装置の需要がある。ＡＤＦ（Ａｕｔｏ  Ｄｏｃｕｍｅｎｔ  Ｆｅｅｄｅｒ）スキャナとＦＢ（Ｆｌａｔ  Ｂｅｄ）スキャナとの両方を備えた画像読取装置が知られている。このような画像読取装置は、ＡＤＦスキャナを用いて複数枚の薄手の用紙を１枚ずつ読み取り、ＦＢスキャナを用いて厚みがある原稿を読み取る。このような画像読取装置は、さらに、設置スペースを低減するために、ＦＢスキャナとＡＤＦスキャナとが鉛直方向に並んで配置されるように形成されている（特許文献１〜３参照）。
【先行技術文献】
【特許文献】
【０００３】
【特許文献１】特開２０００−２３２５４５号公報
【特許文献２】特開２００５−０２４７８８号公報
【特許文献３】特開２０１３−１２２６５０号公報
【発明の概要】
【発明が解決しようとする課題】
【０００４】
ＦＢスキャナは、原稿を読み取る際に、その原稿が浮き上がることを抑えるために、その原稿を上から押さえる原稿押さえを備える必要がある。ＡＤＦスキャナは、読み取られる前の原稿が載置される用紙セット部と、読み取られた後の原稿が載置されるスタッカとを備える必要がある。ＦＢスキャナとＡＤＦスキャナとに付属するこれらの部品は、画像読取装置の設置スペースを低減するために、それぞれ移動可能に設けられることが好ましい。このように、ＡＤＦスキャナとＦＢスキャナとの両方を備えた画像読取装置は、移動可能に設けられる部品の点数が多くなり、その結果、製造コストが増加するという問題がある。
【０００５】
開示の技術は、かかる点に鑑みてなされたものであって、複数のスキャナを備えた装置の部品点数を低減させる画像読取装置を提供することを目的とする。
【課題を解決するための手段】
【０００６】
開示の態様では、画像読取装置は、第１スキャナと第２スキャナと機構と部材とアクチュエータと第１用紙センサとアクチュエータ制御部とを備えている。第１スキャナは、載置される原稿を読み取る。第２スキャナは、用紙セット部に載置された原稿を搬送しながら読み取る。機構は、前記第１スキャナが前記第２スキャナの下方の領域に収納されるように、前記第１スキャナを移動可能に支持する。部材は、昇降可能に支持されている。アクチュエータは、前記部材を昇降させる。第１用紙センサは、前記第１スキャナに原稿が載置されているかどうかを検出する。アクチュエータ制御部は、前記第１スキャナに原稿が載置されたときに前記部材が下降するように、前記アクチュエータを制御する。部材は、前記第２スキャナから排紙される原稿が載置され、前記第１スキャナが前記領域から引き出されているときに下降することにより、前記第１スキャナにより読み取られる原稿を押さえる。
【発明の効果】
【０００７】
開示の画像読取装置は、複数のスキャナを備えた装置の部品点数を低減することができる。
【図面の簡単な説明】
【０００８】
【図１】図１は、実施形態の画像読取装置を示す斜視図である。
【図２】図２は、実施形態の画像読取装置を示す断面図である。
【図３】図３は、ＦＢスキャナが収納空間に収納されている状態の画像読取装置を示す断面図である。
【図４】図４は、ＦＢスキャナの上面に原稿が適切に載置されている状態の画像読取装置を示す断面図である。
【図５】図５は、実施形態の画像読取装置を示すブロック図である。
【図６】図６は、センサの検出結果をスタッカの位置と起動するスキャナとに対応付けるテーブルを示す図である。
【図７】図７は、画像読取装置の動作を示すフローチャートである。
【図８】図８は、他のスタッカを示す図である。
【図９】図９は、他のＦＢ用紙検出センサを示す二面図である。
【発明を実施するための形態】
【０００９】
以下に、本願が開示する実施形態にかかる画像読取装置について、図面を参照して説明する。なお、以下の記載により本発明が限定されるものではない。また、以下の記載においては、同一の構成要素に同一の符号を付与し、重複する説明を省略する。
【００１０】
［実施形態］
＜画像読取装置＞
図１は、実施形態の画像読取装置１を示す斜視図である。実施形態の画像読取装置１は、図１に示されているように、ＡＤＦスキャナ部２とＦＢスキャナ部３とを備えている。ＡＤＦスキャナ部２は、ＡＤＦスキャナ５と用紙セット部６とＡＤＦ用紙検出センサ７とスタッカ８とを備えている。用紙セット部６は、板状に形成されている。用紙セット部６は、ＡＤＦスキャナ５の背面に配置され、ＡＤＦスキャナ５に近い部分ほど低い位置に配置されるように傾斜し、ＡＤＦスキャナ５に固定されている。用紙セット部６は、原稿が載置されることに利用される。ＡＤＦ用紙検出センサ７は、用紙セット部６のうちの原稿が載置される面に配置されている。ＡＤＦ用紙検出センサ７は、原稿が用紙セット部６に載置されているかどうかを検出する。スタッカ８は、ＡＤＦスキャナ５のうちの背面と反対側の前面に配置され、ＡＤＦスキャナ５に支持されている。スタッカ８は、ＡＤＦスキャナ５により読み取られた原稿が載置されるために利用される。ＡＤＦスキャナ５は、用紙セット部６に複数の原稿が載置されているときに、その複数の原稿を１枚ずつ用紙セット部６からスタッカ８に搬送し、搬送されている１枚の原稿から画像を読み取る。
【００１１】
ＡＤＦスキャナ部２は、さらに、スキャンボタン１１と表示装置１２とを備えている。スキャンボタン１１は、ＡＤＦスキャナ５のうちの上方を向いている上面に配置されている。スキャンボタン１１は、ユーザに押下されたかどうかを検出する。表示装置１２は、ＡＤＦスキャナ５の上面のうちのスキャンボタン１１の近傍に配置されている。表示装置１２は、表示面を備え、その表示面に文字列を表示する。
【００１２】
ＦＢスキャナ部３は、ＦＢスキャナ１４と引出機構１５とを備えている。ＦＢスキャナ１４は、直方体状に概ね形成されている。ＦＢスキャナ１４は、透明平板１６を備えている。透明平板１６は、可視光線に例示される光を透過する材料から形成され、長方形の板状に形成されている。透明平板１６は、ＦＢスキャナ１４のうちの上方を向いている上面に配置されている。ＦＢスキャナ１４は、ＦＢスキャナ１４の上面に載置される原稿のうちの透明平板１６に面している読取面から画像を読み取る。
【００１３】
＜引出機構＞
引出機構１５は、原稿読取装置１が設置される設置面に載置される。引出機構１５は、側面に開口部が形成されている箱型に形成され、天板１７を備えている。天板１７は、長方形の板状に形成され、設置面から所定の距離だけ上方に離れた位置に、設置面に平行である面に沿うように、配置され、引出機構１５により支持されている。このとき、ＡＤＦスキャナ５は、天板１７の上に載置され、天板１７に固定されることにより、設置面に固定される。
【００１４】
図２は、実施形態の画像読取装置１を示す断面図である。引出機構１５は、図２に示されているように、天板１７の下部に収納空間１８を形成している。収納空間１８は、ＦＢスキャナ１４を包含する直方体状に形成されている。引出機構１５は、引出機構１５が設置される設置面に平行に平行移動することができるように、ＦＢスキャナ１４を支持している。このため、ＦＢスキャナ１４は、収納空間１８に収納されたり、ＡＤＦスキャナ５の前面の側に収納空間１８から引き出されたりすることができる。
【００１５】
＜ＦＢ用紙検出センサ＞
ＦＢスキャナ１４は、突き当て部２１が形成されている。突き当て部２１は、ＦＢスキャナ１４の上面のうちのＡＤＦスキャナ５の背面の側の端から上方に突出するように形成されている。ＦＢスキャナ１４は、ＦＢスキャナ１４の上面に載置される原稿の一端が突き当て部２１に突き当たるように原稿が適切に配置されるときに、その原稿を適切に読み取ることができる。ＦＢスキャナ部３は、さらに、ＦＢ用紙検出センサ２２と引出センサ２３とを備えている。ＦＢ用紙検出センサ２２は、突出部２４を備えている。突出部２４は、棒状に形成され、突き当て部２１のうちの透明平板１６の側に向いている側面から突出するように配置されている。突出部２４は、さらに、突き当て部２１の側面から突出する程度が変動することができるように、移動可能に突き当て部２１に支持されている。このとき、突出部２４は、ＦＢスキャナ１４の上面に載置される原稿の一端が突き当て部２１に突き当たることにより、突き当て部２１の内部側に移動する。ＦＢ用紙検出センサ２２は、突き当て部２１の側面から突出部２４が所定の長さ以上に突出しているかどうかを検出することにより、ＦＢスキャナ１４の上面に載置される原稿の一端が突き当て部２１に突き当たっているかどうかを検出する。すなわち、ＦＢ用紙検出センサ２２は、ＦＢスキャナ１４に原稿が適切に載置されているかどうかを検出する。
【００１６】
＜引出センサ＞
引出センサ２３は、突出部２５を備えている。突出部２５は、棒状に形成され、突き当て部２１の上面から突出するように突き当て部２１の上面に配置されている。突出部２５は、さらに、突き当て部２１の上面から突出する程度が変動することができるように、昇降可能に突き当て部２１に支持されている。
【００１７】
図３は、ＦＢスキャナ１４が収納空間１８に収納されている状態の画像読取装置１を示す断面図である。突出部２５は、図３に示されているように、ＦＢスキャナ１４が収納空間１８に収納されているときに、天板１７に当接することにより、突き当て部２１の上面から突出する長さが所定の長さより短くなるように、突き当て部２１の内部側に押し込まれる。引出センサ２３は、突き当て部２１の上面から突出部２５が所定の長さ以上に突出しているかどうかを検出することにより、ＦＢスキャナ１４が収納空間１８に収納されているか、ＦＢスキャナ１４が収納空間１８から引き出されているかを検出することができる。
【００１８】
図４は、ＦＢスキャナ１４の上面に原稿が適切に載置されている状態の画像読取装置１を示す断面図である。突出部２４は、図４に示されているように、ＦＢスキャナ１４の上面に原稿が適切に載置されているときに、原稿３０に当接することにより、突き当て部２１の側面から突出する長さが所定の長さより短くなるように、突き当て部２１の内部側に押し込まれる。このため、ＦＢ用紙検出センサ２２は、突出部２４が所定の長さ以上に突出しているかどうかを検出することにより、ＦＢスキャナ１４の上面に原稿３０が適切に載置されているかどうかを検出することができる。
【００１９】
＜スタッカ＞
ＡＤＦスキャナ部２のスタッカ８は、図４に示されているように、回転軸３１を中心に回転可能にＡＤＦスキャナ５に支持されている。回転軸３１は、引出機構１５が設置される設置面に平行であり、かつ、引出機構１５によりＦＢスキャナ１４が移動可能とされている方向に垂直である。スタッカ８は、回転軸３１を中心に回転することにより昇降し、ＡＤＦスキャナ５の前面に沿う上昇位置に配置されたり、収納空間１８から引き出されているＦＢスキャナ１４の上面に沿う下降位置に配置されたりする。スタッカ８は、原稿載置面３２と原稿押さえ面３３とが形成されている。原稿載置面３２は、スタッカ８が上昇位置に配置されているときに、ＡＤＦスキャナ５の前面に対向する面であり、凹面に形成されている。原稿押さえ面３３は、スタッカ８が下降位置に配置されているときに、ＦＢスキャナ１４の上面に対向する面であり、平坦に形成されている。スタッカ８は、スタッカ８が下降位置に配置されているときに、原稿押さえ面３３がＦＢスキャナ１４の上面と概ね平行になるように、形成されている。
【００２０】
このとき、スタッカ８は、下降位置に配置されることにより、ＡＤＦスキャナ５から排紙される原稿が原稿載置面３２に載置され、収納空間１８から引き出されているＦＢスキャナ１４の上面に載置される原稿を原稿押さえ面３３で押さえることができる。スタッカ８は、原稿押さえ面３３が平坦に形成されていることにより、下降位置に配置されたときに、ＦＢスキャナ１４の上面に載置される原稿を適切に押さえることができる。画像読取装置１は、スタッカ８が上昇位置に配置されることにより、スタッカ８が下降位置に配置された状態に比較して、奥行き方向の長さが小さくなり、コンパクトになり、設置スペースが低減される。
【００２１】
＜スタッカ用紙検出センサ＞
ＡＤＦスキャナ部２は、さらに、スタッカ用紙検出センサ３４を備えている。スタッカ用紙検出センサ３４は、カメラから形成されている。スタッカ用紙検出センサ３４は、スタッカ８が下降位置に配置されているときに、スタッカ８の原稿載置面３２が撮影されるように、ＡＤＦスキャナ５の前面に配置されている。スタッカ用紙検出センサ３４は、原稿載置面３２の画像を撮影し、その画像を画像処理することにより、原稿載置面３２に原稿が載置されているかどうかを検出する。その画像処理としては、原稿載置面３２の画像の平均の色が原稿載置面３２の色（たとえば、黒）に近いときに、原稿載置面３２に原稿が載置されていないと検出し、そうでないときに、原稿載置面３２に原稿が載置されていると検出することが例示される。
【００２２】
図５は、実施形態の画像読取装置１を示すブロック図である。画像読取装置１は、図５に示されているように、さらに、アクチュエータ４１を備えている。アクチュエータ４１は、制御装置４３に制御されることにより、回転軸３１を中心にスタッカ８を回転させ、すなわち、スタッカ８を昇降させる。アクチュエータ４１は、スタッカ８を昇降させることにより、スタッカ８を上昇位置または下降位置のいずれかに配置する。
【００２３】
＜ハブ＞
画像読取装置１は、さらに、図５に示されているように、ハブ４２を備えている。ハブ４２は、ＡＤＦスキャナ５に情報伝達可能に接続され、ＦＢスキャナ１４に情報伝達可能に接続され、パーソナルコンピュータ４５に情報伝達可能に接続されている。このとき、ＡＤＦスキャナ５は、原稿から画像を読み取ったときに、ハブ４２を介して、その画像を示す画像情報をパーソナルコンピュータ４５に送信する。ＦＢスキャナ１４は、原稿から画像を読み取ったときに、ハブ４２を介して、その画像を示す画像情報をパーソナルコンピュータ４５に送信する。
【００２４】
画像読取装置１は、ハブ４２が設けられていないときに、ＡＤＦスキャナ５をパーソナルコンピュータ４５に接続するケーブルと、ＦＢスキャナ１４をパーソナルコンピュータ４５に接続するケーブルとの２本のケーブルが必要である。画像読取装置１は、ハブ４２が設けられていることにより、パーソナルコンピュータ４５と１本のケーブルで接続されることができ、ハブ４２が設けられていない場合に比較して、より容易にパーソナルコンピュータ４５に接続されることができる。
【００２５】
＜制御装置＞
画像読取装置１は、さらに、図５に示されているように、制御装置４３を備えている。制御装置４３は、いわゆるコンピュータであり、図示されていないＣＰＵ（Ｃｅｎｔｒａｌ  Ｐｒｏｃｅｓｓｉｎｇ  Ｕｎｉｔ）と記憶装置とを備えている。そのＣＰＵは、制御装置４３にインストールされるコンピュータプログラムを実行して、その記憶装置を制御する。そのＣＰＵは、さらに、ＡＤＦ用紙検出センサ７とＦＢ用紙検出センサ２２と引出センサ２３とスタッカ用紙検出センサ３４とＡＤＦスキャナ５とＦＢスキャナ１４とスキャンボタン１１と表示装置１２とアクチュエータ４１とを制御する。その記憶装置は、そのコンピュータプログラムを記録する。その記憶装置は、さらに、そのＣＰＵにより利用される情報を記録する。
【００２６】
制御装置４３にインストールされるコンピュータプログラムは、制御装置４３に複数の機能をそれぞれ実現させるための複数のコンピュータプログラムから形成されている。その複数の機能は、検出部４６とアクチュエータ制御部４７とスキャナ制御部４８とを含んでいる。
【００２７】
検出部４６は、用紙セット部６に原稿が載置されているかどうかが検出されるように、ＡＤＦ用紙検出センサ７を制御する。検出部４６は、さらに、ＦＢスキャナ１４の上面に原稿が載置されているかどうかが検出されるように、ＦＢ用紙検出センサ２２を制御する。検出部４６は、さらに、ＦＢスキャナ１４が収納空間１８に収納されているか、ＦＢスキャナ１４が収納空間１８から引き出されているかが検出されるように、引出センサ２３を制御する。検出部４６は、さらに、スタッカ８の原稿載置面３２に原稿が載置されているかどうかが検出されるように、スタッカ用紙検出センサ３４を制御する。
【００２８】
アクチュエータ制御部４７は、検出部４６により検出される検出結果をスタッカ８の位置に対応付けている。アクチュエータ制御部４７は、検出部４６により検出される検出結果に対応する位置にスタッカ８が配置されるように、アクチュエータ４１を制御する。アクチュエータ制御部４７は、さらに、ＦＢスキャナ１４により原稿が読み取られた後で、スタッカ８に原稿が載置されていないときに、スタッカ８が下降位置から上昇位置に上昇するように、アクチュエータ４１を制御する。
【００２９】
スキャナ制御部４８は、検出部４６により検出される検出結果をスキャナに対応付けている。スキャナ制御部４８は、スキャンボタン１１が押下されたかどうかが検出されるように、スキャンボタン１１を制御する。アクチュエータ制御部４７は、スキャンボタン１１が押下されたときに、ＡＤＦスキャナ５とＦＢスキャナ１４とのうち検出部４６により検出される検出結果に対応するスキャナが起動されるように、ＡＤＦスキャナ５とＦＢスキャナ１４とを制御する。アクチュエータ制御部４７は、検出部４６により検出される検出結果にＡＤＦスキャナ５とＦＢスキャナ１４とのどちらにも対応していないときに、所定の文字列が表示装置１２の表示面に表示されるように、表示装置１２を制御する。
【００３０】
図６は、センサの検出結果をスタッカ８の位置と起動するスキャナとに対応付けるテーブル５１を示す図である。テーブル５１は、図６に示されているように、複数の検出結果５２を複数のスタッカ位置５３と複数の起動スキャナ５４とに対応付けている。複数の検出結果５２の各々は、ＡＤＦ用紙検出センサ状態５５とＦＢ用紙検出センサ状態５６と引出センサ状態５７とスタッカ用紙検出センサ状態５８とを示している。
【００３１】
ＡＤＦ用紙検出センサ状態５５は、ＡＤＦ用紙検出センサ７により検出された状態を示し、「ＯＮ」または「ＯＦＦ」のいずれかを示している。ＡＤＦ用紙検出センサ状態５５は、「ＯＮ」を示しているときに、用紙セット部６に原稿が載置されていることを示し、「ＯＦＦ」を示しているときに、用紙セット部６に原稿が載置されていないことを示している。
【００３２】
ＦＢ用紙検出センサ状態５６は、ＦＢ用紙検出センサ２２により検出された状態を示し、「ＯＮ」または「ＯＦＦ」のいずれかを示している。ＦＢ用紙検出センサ状態５６は、「ＯＮ」を示しているときに、ＦＢスキャナ１４に原稿が適切に載置されていることを示し、「ＯＦＦ」を示しているときに、ＦＢスキャナ１４に原稿が適切に載置されていないことを示している。
【００３３】
引出センサ状態５７は、引出センサ２３により検出された状態を示し、「ＯＮ」または「ＯＦＦ」のいずれかを示している。引出センサ状態５７は、「ＯＮ」を示しているときに、ＦＢスキャナ１４が収納空間１８から引き出されていることを示し、「ＯＦＦ」を示しているときに、ＦＢスキャナ１４が収納空間１８に収納されていることを示している。
【００３４】
スタッカ用紙検出センサ状態５８は、スタッカ用紙検出センサ３４により検出された状態を示し、「ＯＮ」または「ＯＦＦ」のいずれかを示している。スタッカ用紙検出センサ状態５８は、「ＯＮ」を示しているときに、スタッカ８に原稿が載置されていることを示し、「ＯＦＦ」を示しているときに、スタッカ８に原稿が載置されていないことを示している。
【００３５】
複数のスタッカ位置５３のうちのある検出結果に対応する１つのスタッカ位置は、その検出結果が検出部４６により検出されたときに、アクチュエータ制御部４７によりスタッカ８が配置される位置を示している。すなわち、複数のスタッカ位置５３の各々は、「上昇位置」または「下降位置」のいずれかを示している。
【００３６】
複数の起動スキャナ５４のうちのある検出結果に対応する１つの起動スキャナは、その検出結果が検出部４６により検出されたときに、スキャナ制御部４８により起動されるスキャナを示している。すなわち、複数の起動スキャナ５４の各々は、「ＡＤＦスキャナ」または「ＦＢスキャナ」または「ＡＤＦスキャナ・ＦＢスキャナ」または「無し」のいずれかを示している。
【００３７】
複数の検出結果５２のうちの第１検出結果は、ＡＤＦ用紙検出センサ状態５５が「ＯＦＦ」を示し、ＦＢ用紙検出センサ状態５６が「ＯＦＦ」を示し、引出センサ状態５７が「ＯＦＦ」を示し、スタッカ用紙検出センサ状態５８が「ＯＦＦ」を示している。複数のスタッカ位置５３のうちの第１検出結果に対応するスタッカ位置は、「上昇位置」を示している。複数の起動スキャナ５４のうちの第１検出結果に対応する起動スキャナは、「無し」を示している。
【００３８】
複数の検出結果５２のうちの第２検出結果は、ＡＤＦ用紙検出センサ状態５５が「ＯＦＦ」を示し、ＦＢ用紙検出センサ状態５６が「ＯＦＦ」を示し、引出センサ状態５７が「ＯＦＦ」を示し、スタッカ用紙検出センサ状態５８が「ＯＮ」を示している。複数のスタッカ位置５３のうちの第２検出結果に対応するスタッカ位置は、「下降位置」を示している。複数の起動スキャナ５４のうちの第２検出結果に対応する起動スキャナは、「無し」を示している。
【００３９】
複数の検出結果５２のうちの第３検出結果は、ＡＤＦ用紙検出センサ状態５５が「ＯＦＦ」を示し、ＦＢ用紙検出センサ状態５６が「ＯＦＦ」を示し、引出センサ状態５７が「ＯＮ」を示し、スタッカ用紙検出センサ状態５８が「ＯＦＦ」を示している。複数のスタッカ位置５３のうちの第３検出結果に対応するスタッカ位置は、「上昇位置」を示している。複数の起動スキャナ５４のうちの第３検出結果に対応する起動スキャナは、「無し」を示している。
【００４０】
複数の検出結果５２のうちの第４検出結果は、ＡＤＦ用紙検出センサ状態５５が「ＯＦＦ」を示し、ＦＢ用紙検出センサ状態５６が「ＯＦＦ」を示し、引出センサ状態５７が「ＯＮ」を示し、スタッカ用紙検出センサ状態５８が「ＯＮ」を示している。複数のスタッカ位置５３のうちの第４検出結果に対応するスタッカ位置は、「下降位置」を示している。複数の起動スキャナ５４のうちの第４検出結果に対応する起動スキャナは、「無し」を示している。
【００４１】
複数の検出結果５２のうちの第５検出結果は、ＡＤＦ用紙検出センサ状態５５が「ＯＦＦ」を示し、ＦＢ用紙検出センサ状態５６が「ＯＮ」を示し、引出センサ状態５７が「ＯＦＦ」を示し、スタッカ用紙検出センサ状態５８が「ＯＦＦ」を示している。複数のスタッカ位置５３のうちの第５検出結果に対応するスタッカ位置は、「上昇位置」を示している。複数の起動スキャナ５４のうちの第５検出結果に対応する起動スキャナは、「無し」を示している。
【００４２】
複数の検出結果５２のうちの第６検出結果は、ＡＤＦ用紙検出センサ状態５５が「ＯＦＦ」を示し、ＦＢ用紙検出センサ状態５６が「ＯＮ」を示し、引出センサ状態５７が「ＯＦＦ」を示し、スタッカ用紙検出センサ状態５８が「ＯＮ」を示している。複数のスタッカ位置５３のうちの第６検出結果に対応するスタッカ位置は、「下降位置」を示している。複数の起動スキャナ５４のうちの第６検出結果に対応する起動スキャナは、「無し」を示している。
【００４３】
複数の検出結果５２のうちの第７検出結果は、ＡＤＦ用紙検出センサ状態５５が「ＯＦＦ」を示し、ＦＢ用紙検出センサ状態５６が「ＯＮ」を示し、引出センサ状態５７が「ＯＮ」を示し、スタッカ用紙検出センサ状態５８が「ＯＦＦ」を示している。複数のスタッカ位置５３のうちの第７検出結果に対応するスタッカ位置は、「下降位置」を示している。複数の起動スキャナ５４のうちの第７検出結果に対応する起動スキャナは、「ＦＢスキャナ」を示している。
【００４４】
複数の検出結果５２のうちの第８検出結果は、ＡＤＦ用紙検出センサ状態５５が「ＯＦＦ」を示し、ＦＢ用紙検出センサ状態５６が「ＯＮ」を示し、引出センサ状態５７が「ＯＮ」を示し、スタッカ用紙検出センサ状態５８が「ＯＮ」を示している。複数のスタッカ位置５３のうちの第８検出結果に対応するスタッカ位置は、「下降位置」を示している。複数の起動スキャナ５４のうちの第８検出結果に対応する起動スキャナは、「ＦＢスキャナ」を示している。
【００４５】
複数の検出結果５２のうちの第９検出結果は、ＡＤＦ用紙検出センサ状態５５が「ＯＮ」を示し、ＦＢ用紙検出センサ状態５６が「ＯＦＦ」を示し、引出センサ状態５７が「ＯＦＦ」を示し、スタッカ用紙検出センサ状態５８が「ＯＦＦ」を示している。複数のスタッカ位置５３のうちの第９検出結果に対応するスタッカ位置は、「下降位置」を示している。複数の起動スキャナ５４のうちの第９検出結果に対応する起動スキャナは、「ＡＤＦスキャナ」を示している。
【００４６】
複数の検出結果５２のうちの第１０検出結果は、ＡＤＦ用紙検出センサ状態５５が「ＯＮ」を示し、ＦＢ用紙検出センサ状態５６が「ＯＦＦ」を示し、引出センサ状態５７が「ＯＦＦ」を示し、スタッカ用紙検出センサ状態５８が「ＯＮ」を示している。複数のスタッカ位置５３のうちの第１０検出結果に対応するスタッカ位置は、「下降位置」を示している。複数の起動スキャナ５４のうちの第１０検出結果に対応する起動スキャナは、「ＡＤＦスキャナ」を示している。
【００４７】
複数の検出結果５２のうちの第１１検出結果は、ＡＤＦ用紙検出センサ状態５５が「ＯＮ」を示し、ＦＢ用紙検出センサ状態５６が「ＯＦＦ」を示し、引出センサ状態５７が「ＯＮ」を示し、スタッカ用紙検出センサ状態５８が「ＯＦＦ」を示している。複数のスタッカ位置５３のうちの第１１検出結果に対応するスタッカ位置は、「下降位置」を示している。複数の起動スキャナ５４のうちの第１１検出結果に対応する起動スキャナは、「ＡＤＦスキャナ」を示している。
【００４８】
複数の検出結果５２のうちの第１２検出結果は、ＡＤＦ用紙検出センサ状態５５が「ＯＮ」を示し、ＦＢ用紙検出センサ状態５６が「ＯＦＦ」を示し、引出センサ状態５７が「ＯＮ」を示し、スタッカ用紙検出センサ状態５８が「ＯＮ」を示している。複数のスタッカ位置５３のうちの第１２検出結果に対応するスタッカ位置は、「下降位置」を示している。複数の起動スキャナ５４のうちの第１２検出結果に対応する起動スキャナは、「ＡＤＦスキャナ」を示している。
【００４９】
複数の検出結果５２のうちの第１３検出結果は、ＡＤＦ用紙検出センサ状態５５が「ＯＮ」を示し、ＦＢ用紙検出センサ状態５６が「ＯＮ」を示し、引出センサ状態５７が「ＯＦＦ」を示し、スタッカ用紙検出センサ状態５８が「ＯＦＦ」を示している。複数のスタッカ位置５３のうちの第１３検出結果に対応するスタッカ位置は、「下降位置」を示している。複数の起動スキャナ５４のうちの第１３検出結果に対応する起動スキャナは、「ＡＤＦスキャナ」を示している。
【００５０】
複数の検出結果５２のうちの第１４検出結果は、ＡＤＦ用紙検出センサ状態５５が「ＯＮ」を示し、ＦＢ用紙検出センサ状態５６が「ＯＮ」を示し、引出センサ状態５７が「ＯＦＦ」を示し、スタッカ用紙検出センサ状態５８が「ＯＮ」を示している。複数のスタッカ位置５３のうちの第１４検出結果に対応するスタッカ位置は、「下降位置」を示している。複数の起動スキャナ５４のうちの第１４検出結果に対応する起動スキャナは、「ＡＤＦスキャナ」を示している。
【００５１】
複数の検出結果５２のうちの第１５検出結果は、ＡＤＦ用紙検出センサ状態５５が「ＯＮ」を示し、ＦＢ用紙検出センサ状態５６が「ＯＮ」を示し、引出センサ状態５７が「ＯＮ」を示し、スタッカ用紙検出センサ状態５８が「ＯＦＦ」を示している。複数のスタッカ位置５３のうちの第１５検出結果に対応するスタッカ位置は、「下降位置」を示している。複数の起動スキャナ５４のうちの第１５検出結果に対応する起動スキャナは、「ＡＤＦスキャナ・ＦＢスキャナ」を示している。
【００５２】
複数の検出結果５２のうちの第１６検出結果は、ＡＤＦ用紙検出センサ状態５５が「ＯＮ」を示し、ＦＢ用紙検出センサ状態５６が「ＯＮ」を示し、引出センサ状態５７が「ＯＮ」を示し、スタッカ用紙検出センサ状態５８が「ＯＮ」を示している。複数のスタッカ位置５３のうちの第１６検出結果に対応するスタッカ位置は、「下降位置」を示している。複数の起動スキャナ５４のうちの第１６検出結果に対応する起動スキャナは、「ＡＤＦスキャナ・ＦＢスキャナ」を示している。
【００５３】
アクチュエータ制御部４７は、テーブル５１を参照して、複数のスタッカ位置５３のうちの検出部４６により検出される検出結果に対応するスタッカ位置にスタッカ８が配置されるように、アクチュエータ４１を制御する。たとえば、アクチュエータ制御部４７は、スタッカ８が下降位置に配置されている場合で、その対応するスタッカ位置が「上昇位置」を示しているときに、スタッカ８が下降位置から上昇するように、アクチュエータ４１を制御する。アクチュエータ制御部４７は、スタッカ８が上昇位置に配置されている場合で、その対応するスタッカ位置が「上昇位置」を示しているときに、スタッカ８が上昇位置から昇降しないように、アクチュエータ４１を制御する。アクチュエータ制御部４７は、スタッカ８が上昇位置に配置されている場合で、その対応するスタッカ位置が「下降位置」を示しているときに、スタッカ８が上昇位置から下降するように、アクチュエータ４１を制御する。アクチュエータ制御部４７は、スタッカ８が下降位置に配置されている場合で、その対応するスタッカ位置が「下降位置」を示しているときに、スタッカ８が下降位置から昇降しないように、アクチュエータ４１を制御する。
【００５４】
スキャナ制御部４８は、スキャンボタン１１が押下されたときに、テーブル５１を参照して、複数の起動スキャナ５４のうちの検出部４６により検出される検出結果に対応する起動スキャナが起動されるように、ＡＤＦスキャナ５とＦＢスキャナ１４とを制御する。たとえば、スキャナ制御部４８は、その対応する起動スキャナが「ＡＤＦスキャナ」を示しているときに、用紙セット部６に載置されている複数の原稿が１枚ずつ読み取られるように、ＡＤＦスキャナ５を制御する。スキャナ制御部４８は、その対応する起動スキャナが「ＦＢスキャナ」を示しているときに、ＦＢスキャナ１４に載置されている原稿が読み取られるように、ＦＢスキャナ１４を制御する。スキャナ制御部４８は、その対応する起動スキャナが「ＡＤＦスキャナ・ＦＢスキャナ」を示しているときに、ＡＤＦスキャナ５とＦＢスキャナ１４とが並行して原稿を読み取るように、ＡＤＦスキャナ５とＦＢスキャナ１４とを制御する。すなわち、ＡＤＦスキャナ５は、ＦＢスキャナ１４に載置されている原稿をＦＢスキャナ１４が読み取っている間に、用紙セット部６に載置されている複数の原稿を１枚ずつ読み取る。スキャナ制御部４８は、その対応する起動スキャナが「無し」を示しているときに、文字列「用紙なし」が表示装置１２の表示面にエラー表示されるように、表示装置１２を制御する。
【００５５】
＜画像読取装置の動作＞
図７は、画像読取装置１の動作を示すフローチャートである。このフローは、画像読取装置１がパーソナルコンピュータ４５に接続された状態で、ユーザの操作により画像読取装置１の電源が入れられると、画像読取装置１の制御装置４３により実行される。制御装置４３は、まず、図７に示されているように、ＡＤＦ用紙検出センサ７とＦＢ用紙検出センサ２２と引出センサ２３とスタッカ用紙検出センサ３４とを制御することにより、原稿の載置状態とＦＢスキャナ１４の状態とを検出する（ステップＳ１）。すなわち、その検出された検出結果は、ＡＤＦ用紙検出センサ状態５５とＦＢ用紙検出センサ状態５６と引出センサ状態５７とスタッカ用紙検出センサ状態５８とを示している。
【００５６】
制御装置４３は、テーブル５１を参照して、複数のスタッカ位置５３からその検出結果に対応するスタッカ位置を算出する。制御装置４３は、アクチュエータ４１を制御することにより、その算出されたスタッカ位置にスタッカ８が配置されるように、スタッカ８を昇降させる（ステップＳ２）。
【００５７】
制御装置４３は、そのスタッカ位置にスタッカ８が配置された後に、スキャンボタン１１を制御することにより、スキャンボタン１１が押下されたかどうかを検出する（ステップＳ３）。制御装置４３は、スキャンボタン１１が押下されていないときに（ステップＳ３、Ｎｏ）、ステップＳ１〜Ｓ３の動作を繰り返し実行する。
【００５８】
制御装置４３は、スキャンボタン１１が押下されたときに（ステップＳ３、Ｙｅｓ）、テーブル５１を参照して、複数の起動スキャナ５４からその検出結果に対応する起動スキャナを算出する（ステップＳ４）。制御装置４３は、その対応する起動スキャナが「無し」を示しているときに（ステップＳ４、Ｎｏ）、表示装置１２を制御することにより、エラーメッセージを表示装置１２の表示面に表示する（ステップＳ５）。そのエラーメッセージは、原稿を読み取ることができないエラーが発生している旨を示し、文字列「用紙なし」が例示される。制御装置４３は、エラーメッセージを表示した後に、再度ステップＳ１の動作を実行する。すなわち、制御装置４３は、その対応する起動スキャナが「無し」を示すときにステップＳ５の処理とステップＳ１〜Ｓ４の動作とを繰り返し実行する。
【００５９】
制御装置４３は、その起動スキャナが「ＡＤＦスキャナ」または「ＦＢスキャナ」または「ＡＤＦスキャナ・ＦＢスキャナ」を示しているときに（ステップＳ４、Ｙｅｓ）、ＡＤＦスキャナ５またはＦＢスキャナ１４を起動する（ステップＳ６）。すなわち、制御装置４３は、その起動スキャナが「ＡＤＦスキャナ」を示しているときに、ＡＤＦスキャナ５を制御することにより、用紙セット部６に載置されている複数の原稿を１枚ずつ読み取る。制御装置４３は、その起動スキャナが「ＦＢスキャナ」を示しているときに、ＦＢスキャナ１４を制御することにより、ＦＢスキャナ１４に載置されている原稿を読み取る。制御装置４３は、その起動スキャナが「ＡＤＦスキャナ・ＦＢスキャナ」を示しているときに、ＡＤＦスキャナ５とＦＢスキャナ１４とを制御することにより、用紙セット部６に載置されている複数の原稿と、ＦＢスキャナ１４に載置されている原稿とを読み取る。このとき、用紙セット部６に載置されている複数の原稿と、ＦＢスキャナ１４に載置されている原稿とは、ＡＤＦスキャナ５とＦＢスキャナ１４とにより、並行して読み取られる。すなわち、用紙セット部６に載置されている複数の原稿がＡＤＦスキャナ５により読み取られている間に、ＦＢスキャナ１４に載置されている原稿がＦＢスキャナ１４により読み取られる。
【００６０】
このとき、ＡＤＦスキャナ５は、用紙セット部６に載置されている複数の原稿の全部を読み取ると、ハブ４２を介して、その複数の原稿をそれぞれ示す複数の画像をパーソナルコンピュータ４５に出力する。ＦＢスキャナ１４は、ＦＢスキャナ１４に載置されている原稿を読み取ると、ハブ４２を介して、その原稿を示す画像をパーソナルコンピュータ４５に出力する。
【００６１】
制御装置４３は、ステップＳ６でＦＢスキャナ１４を起動したかどうかを判別する（ステップＳ７）。制御装置４３は、ステップＳ６でＦＢスキャナ１４が起動されていなかったときに（ステップＳ７、Ｎｏ）、ステップＳ１〜Ｓ７の動作を繰り返し実行する。
【００６２】
制御装置４３は、ステップＳ６でＦＢスキャナ１４が起動されていたときに（ステップＳ７、Ｙｅｓ）、スタッカ用紙検出センサ３４を制御することにより、スタッカ８に原稿が載置されているかどうかを検出する。制御装置４３は、スタッカ８に原稿が載置されていると検出されたときに、所定の期間だけ待機した後に、再度、スタッカ用紙検出センサ３４を制御することにより、スタッカ８に原稿が載置されているかどうかを検出する。すなわち、制御装置４３は、スタッカ８から原稿が取り除かれるまで待機する（ステップＳ８）。
【００６３】
制御装置４３は、スタッカ８に原稿が載置されていないと検出されたときに、アクチュエータ４１を制御することにより、スタッカ８を下降位置から上昇位置に上昇させる（ステップＳ９）。制御装置４３は、スタッカ８が上昇位置に配置されたときに、ＦＢ用紙検出センサ２２を制御することにより、ＦＢスキャナ１４に原稿が載置されているかどうかを検出する。制御装置４３は、ＦＢスキャナ１４に原稿が載置されていると検出されたときに、所定の期間だけ待機した後に、再度、ＦＢ用紙検出センサ２２を制御することにより、ＦＢスキャナ１４に原稿が載置されているかどうかを検出する。すなわち、制御装置４３は、ＦＢスキャナ１４から原稿が取り除かれるまで待機する（ステップＳ１０）。制御装置４３は、ＦＢスキャナ１４に原稿が載置されていないと検出されたときに、ステップＳ１〜Ｓ１０の動作を繰り返し実行する。
【００６４】
＜画像読取装置の効果＞
実施形態の画像読取装置１は、ＡＤＦスキャナ５とＦＢスキャナ１４と引出機構１５とスタッカ８とを備えている。ＦＢスキャナ１４は、載置される原稿を読み取る。ＡＤＦスキャナ５は、用紙セット部６に載置された原稿を搬送しながら読み取る。引出機構１５は、ＦＢスキャナ１４がＡＤＦスキャナ５の下方の収納空間１８に収納されるように、ＦＢスキャナ１４を移動可能に支持する。スタッカ８は、昇降可能に支持され、下降することによりＡＤＦスキャナ５から排紙される原稿が載置され、ＦＢスキャナ１４が収納空間１８から引き出されているときに下降することにより、ＦＢスキャナ１４により読み取られる原稿を押さえる。このような画像読取装置１は、ＦＢスキャナ１４がＡＤＦスキャナ５の下方の収納空間１８に収納されることにより、ＦＢスキャナ１４とＡＤＦスキャナ５とが水平方向に並べて設置される設置領域に比較して、より狭い設置領域に設置されることができる。このような画像読取装置１は、さらに、スタッカ８が昇降可能であることにより、スタッカ８が下降している状態に比較して、スタッカ８が上昇している状態のサイズを小さくすることができ、より狭い設置領域に設置されることができる。このような画像読取装置１は、さらに、ＡＤＦスキャナ５から排紙される原稿が載置されるスタッカ８が、ＦＢスキャナ１４に読み取られる原稿を押さえる原稿押さえに兼用されている。このため、画像読取装置１は、その原稿押さえがスタッカ８と別個に設けられる必要がなく、部品点数を低減させることができ、容易に作製されることができる。
【００６５】
また、画像読取装置１は、アクチュエータ４１とＦＢ用紙検出センサ２２とアクチュエータ制御部４７とをさらに備えている。アクチュエータ４１は、スタッカ８を昇降させる。ＦＢ用紙検出センサ２２は、ＦＢスキャナ１４に原稿が載置されているかどうかを検出する。アクチュエータ制御部４７は、ＦＢスキャナ１４に原稿が載置されたときにスタッカ８が下降するように、アクチュエータ４１を制御する。このような画像読取装置１によれば、ユーザは、ＦＢスキャナ１４に原稿を載置したときに、スタッカ８を下降させて、その原稿を押さえる必要がない。すなわち、このような画像読取装置１は、ＦＢスキャナ１４により原稿を読み取るときに、ユーザの操作を容易にすることができる。
【００６６】
また、画像読取装置１は、用紙セット部６に原稿が載置されているかどうかを検出するＡＤＦ用紙検出センサ７をさらに備えている。このとき、アクチュエータ制御部４７は、用紙セット部６に原稿が載置されていると検出されたときに、スタッカ８が下降するように、アクチュエータ４１を制御する。このような画像読取装置１によれば、ユーザは、用紙セット部６に原稿を載置したときに、ＡＤＦスキャナ５から排紙される原稿が載置されるスタッカ８を下降させる必要がない。すなわち、このような画像読取装置１は、ＡＤＦスキャナ５により原稿を読み取るときに、ユーザの操作を容易にすることができる。
【００６７】
また、画像読取装置１は、スタッカ８に原稿が載置されているかどうかを検出するスタッカ用紙検出センサ３４をさらに備えている。このとき、アクチュエータ制御部４７は、ＡＤＦスキャナ５が原稿を読み取った後で、スタッカ８に原稿が載置されていないと検出されたときに、スタッカ８が上昇するように、アクチュエータ４１を制御する。このような画像読取装置１によれば、ユーザは、スタッカ８が自動的に上昇することにより、ＦＢスキャナ１４を収納空間１８から引き出したり、ＦＢスキャナ１４を収納空間１８に収納したりする前にスタッカ８を上昇させる必要がない。すなわち、このような画像読取装置１は、ＦＢスキャナ１４を収納空間１８から引き出したり、ＦＢスキャナ１４を収納空間１８に収納したりするユーザの操作を容易にすることができる。
【００６８】
また、アクチュエータ制御部４７は、ＦＢスキャナ１４が原稿を読み取った後で、スタッカ８に原稿が載置されていないときに、スタッカ８が上昇するように、アクチュエータ４１を制御する。このような画像読取装置１によれば、ユーザは、ＦＢスキャナ１４が原稿を読み取った後でスタッカ８に原稿が載置されていないときに、スタッカ８が自動的に上昇することにより、ＦＢスキャナ１４から原稿を取り除くときにスタッカ８を上昇させる必要がない。すなわち、このような画像読取装置１は、ＦＢスキャナ１４により読み取られた原稿を取り除く操作を容易にすることができ、ＦＢスキャナ１４により読み取られた原稿が取り忘れられることを防止することができる。
【００６９】
また、画像読取装置１は、引出センサ２３とスキャナ制御部４８とを備えている。引出センサ２３は、ＦＢスキャナ１４が収納空間１８から引き出されているかどうかを検出する。スキャナ制御部４８は、ＦＢスキャナ１４が収納空間１８から引き出され、かつ、用紙セット部６とＦＢスキャナ１４とにそれぞれ原稿が載置されたときに、これらの原稿が並行して読み取られるように、ＦＢスキャナ１４とＡＤＦスキャナ５とを制御する。このような画像読取装置１は、ＦＢスキャナ１４とＡＤＦスキャナ５とが並行して原稿を読み取ることにより、ＦＢスキャナ１４とＡＤＦスキャナ５とが順次原稿を読み取ることに比較して、原稿をより高速に読み取ることができる。
【００７０】
また、スタッカ８は、ＦＢスキャナ１４により読み取られる原稿に接する原稿押さえ面３３が平坦に形成されている。このような画像読取装置１は、ＦＢスキャナ１４に載置される原稿を適切に押さえることができ、ＦＢスキャナ１４に載置される原稿をＦＢスキャナ１４により適切に読み取ることができる。
【００７１】
＜他のスタッカ＞
なお、スタッカ８は、既述の実施形態では、原稿押さえ面３３が平坦に形成されているが、他の形状に形成されていてもよい。図８は、他のスタッカ６１を示す図である。スタッカ６１は、図８に示されているように、下降位置に配置されるときに、ＦＢスキャナ１４の上面に対向する下面６２の概ね中央の一部分に原稿押さえ面６３が形成されている。原稿押さえ面６３は、スタッカ６１が下降位置に配置されているときに、ＦＢスキャナ１４の上面と概ね平行になるように、形成されている。画像読取装置１は、このようなスタッカ６１が設けられた場合でも、スタッカ６１が下降位置に配置されたときに、ＦＢスキャナ１４に載置される原稿を原稿押さえ面６３が適切に押さえることができ、ＦＢスキャナ１４により原稿を適切に読み取ることができる。
【００７２】
さらに、スタッカ８は、下降位置に配置されるときにＦＢスキャナ１４に対向する下面が凸面から形成されているスタッカに置換されてもよい。そのスタッカは、下降位置に配置されるときに、その下面のうちのＦＢスキャナ１４の透明平板１６の中央に対向する中央部分が、透明平板１６に最も接近するように、形成されている。画像読取装置１は、このようなスタッカが設けられている場合でも、そのスタッカが下降位置に配置されたときに、その中央部分がＦＢスキャナ１４に載置される原稿を適切に押さえることができ、その原稿をＦＢスキャナ１４により適切に読み取ることができる。
【００７３】
＜他のＦＢ用紙検出センサ＞
なお、ＦＢ用紙検出センサ２２は、ＦＢスキャナ１４に原稿が適切に載置されているかどうかを機械的に検出するが、その他の手段を利用してＦＢスキャナ１４に原稿が適切に載置されているかどうかを検出してもよい。図９は、他のＦＢ用紙検出センサ７１を示す二面図である。ＦＢ用紙検出センサ７１は、カメラから形成され、図９に示されているように、ＦＢスキャナ１４の突き当て部２１の側面に配置されている。ＦＢ用紙検出センサ７１は、ＦＢスキャナ１４の透明平板１６のうちの所定の読取範囲を撮像し、透明平板１６の画像を画像処理することにより、ＦＢスキャナ１４に原稿３０が適切に載置されているかどうかを検出する。その読取範囲としては、透明平板１６のうちのＦＢ用紙検出センサ７１の周辺の範囲であり、スタッカ８の回転軸３１の方向の幅が５０ｍｍ程度である範囲が例示される。その画像処理としては、その画像を形成する複数の画素がそれぞれ示す複数の明度情報の平均が所定の閾値より小さいときに、ＦＢスキャナ１４に原稿３０が載置されていると検出することが例示される。ＦＢスキャナ１４に載置されている原稿３０は、突き当て部２１に突き当てられることにより、ＦＢ用紙検出センサ７１に入射する環境光を遮蔽する。このため、ＦＢ用紙検出センサ７１は、その複数の明度情報の平均と所定の閾値との大小関係により、ＦＢスキャナ１４に原稿３０が適切に載置されているかどうかを適切に検出することができる。
【００７４】
さらに、ＦＢ用紙検出センサ２２は、透明平板１６の側から突き当て部２１の側面に照射される光の照度を検出する照度センサから形成されてもよい。このとき、制御装置４３は、その検出された照度が所定の閾値より小さいときに、ＦＢスキャナ１４に原稿が載置されていると判別する。ＦＢスキャナ１４に載置されている原稿は、突き当て部２１に突き当てられることにより、透明平板１６の側から突き当て部２１の側面に入射する環境光を遮蔽する。このため、制御装置４３は、その検出された照度と所定の閾値との大小関係により、ＦＢスキャナ１４に原稿が適切に載置されているかどうかを適切に検出することができる。
【００７５】
さらに、ＦＢ用紙検出センサ２２は、超音波を利用して、ＦＢスキャナ１４に原稿が適切に載置されているかどうかを検出するＦＢ用紙検出センサに置換されてもよい。そのＦＢ用紙検出センサは、２つの部材を備えている。その２つの部材は、ＦＢスキャナ１４に載置されている原稿のうちの突き当て部２１に突き当てられた端を挟むように、突き当て部２１の側面にそれぞれ配置されている。その２つの部材は、一方の部材が超音波を発振し、他方の部材がその超音波の強度を検出する。その超音波は、その２つの部材に挟まれている物体により、強度が減衰する。このため、そのＦＢ用紙検出センサは、その検出された強度が所定の閾値より大きいかどうかを判別することにより、ＦＢスキャナ１４に原稿が適切に載置されているかどうかを適切に検出することができる。
【００７６】
したがって、画像読取装置１は、ＦＢ用紙検出センサ２２が機械的な手段によらない他のセンサに置換された場合でも、ＦＢスキャナ１４に原稿が載置されているかどうかに基づいてスタッカ８を昇降させることにより、ユーザの操作を容易にすることができる。
【００７７】
なお、スタッカ用紙検出センサ３４は、スタッカ８に原稿が適切に載置されているかどうかを光学的に検出するが、その他の手段を利用してスタッカ８に原稿が適切に載置されているかどうかを検出してもよい。その手段としては、ＦＢ用紙検出センサ２２、７１と同様にして、機械的に検出するもの、超音波を利用するものが例示される。画像読取装置１は、スタッカ用紙検出センサ３４が光学的な手段によらない他のセンサに置換された場合でも、スタッカ８に原稿が載置されているかどうかに基づいてスタッカ８を昇降させることにより、ユーザの操作を容易にすることができる。
【００７８】
また、ＡＤＦ用紙検出センサ７に関しても、ＦＢ用紙検出センサ２２、７１等と同様にして、用紙セット部６に原稿が載置されているかどうかを、機械的に検出してもよいし、光または超音波を利用して検出してもよい。画像読取装置１は、用紙セット部６に載置されている原稿をＡＤＦ用紙検出センサ７がどのように検出した場合でも、用紙セット部６に原稿が載置されているかどうかに基づいてスタッカ８を昇降させることにより、ユーザの操作を容易にすることができる。
【００７９】
なお、図６のテーブル５１では、複数のスタッカ位置５３のうちの第１１検出結果に対応するスタッカ位置は、「下降位置」を示しているが、第１１検出結果に「上昇位置」を対応付けてもよい。ＡＤＦスキャナ５から排紙される原稿は、スタッカ８が上昇位置に配置されている場合で、ＦＢスキャナ１４が収納空間１８から引き出されているときに、ＦＢスキャナ１４に載置される。このため、画像読取装置１は、第１１検出結果に「上昇位置」を対応付けたときでも、ＡＤＦスキャナ５から排紙される原稿を適切に保持することができ、原稿を適切に読み取ることができる。したがって、画像読取装置１は、第１１検出結果に「上昇位置」を対応付けたときでも、スタッカ８がユーザにより操作される必要がなく、ユーザの操作を容易にすることができる。
【００８０】
ところで、画像読取装置１は、ＦＢスキャナ１４とＡＤＦスキャナ５との両方が並行して原稿を読み取る場合があるが、ＦＢスキャナ１４とＡＤＦスキャナ５との両方が並行して原稿を読み取らないように制御してもよい。たとえば、画像読取装置１は、ＦＢスキャナ１４とＡＤＦスキャナ５との両方が読み取り可能であるときに、ＦＢスキャナ１４が原稿を読み取った後に、ＡＤＦスキャナ５が原稿を読み取る。または、画像読取装置１は、ＦＢスキャナ１４とＡＤＦスキャナ５との両方が読み取り可能であるときに、ＡＤＦスキャナ５が原稿を読み取った後に、ＦＢスキャナ１４が原稿を読み取る。画像読取装置１は、このように、ＦＢスキャナ１４とＡＤＦスキャナ５とが原稿を順次に読み取ることにより、消費電力の変動を低減することができる。画像読取装置１は、ＦＢスキャナ１４とＡＤＦスキャナ５とが原稿を順次に読み取る場合でも、ＦＢスキャナ１４とＡＤＦスキャナ５とが自動的に起動されることにより、ユーザの操作を容易にすることができる。
【００８１】
ところで、画像読取装置１は、スタッカ用紙検出センサ３４の検出結果に基づいてスタッカ８を昇降させているが、スタッカ用紙検出センサ３４を省略してもよい。このとき、たとえば、画像読取装置１の制御装置４３は、用紙セット部６に原稿が載置されたときに、または、収納空間１８から引き出されたＦＢスキャナ１４に原稿が載置されたときに、スタッカ８を下降させるように、アクチュエータ４１を制御する。このような制御によれば、ユーザは、ＡＤＦスキャナ５またはＦＢスキャナ１４を用いて原稿を読み取るときに、スタッカ８を下降させる必要がない。このため、画像読取装置１は、スタッカ用紙検出センサ３４が省略されたときでも、このような制御をすることにより、ユーザの操作を容易にすることができる。
【００８２】
ところで、画像読取装置１は、ＡＤＦ用紙検出センサ７の検出結果に基づいてスタッカ８を昇降させているが、ＡＤＦ用紙検出センサ７を省略してもよい。このとき、たとえば、画像読取装置１は、収納空間１８から引き出されたＦＢスキャナ１４に原稿が載置されたときに、スタッカ８を下降させるように、アクチュエータ４１を制御する。このような制御によれば、ユーザは、ＦＢスキャナ１４を用いて原稿を読み取るときに、スタッカ８を下降させる必要がない。このため、画像読取装置１は、スタッカ用紙検出センサ３４が省略されたときでも、このような制御をすることにより、ユーザの操作を容易にすることができる。
【００８３】
なお、スタッカ８は、ＡＤＦスキャナ５に支持されているが、ＡＤＦスキャナ５以外の部材に支持されてもよい。その部材は、原稿読取装置１が設置される設置面に固定されるものであり、たとえば、天板１７が例示される。画像読取装置１は、スタッカ８がこのように部材に支持された場合でも、上昇位置と下降位置とに適切に配置されることができる。
【００８４】
ところで、スタッカ８は、回転可能に設けられているが、回転移動以外の移動で昇降するように設けられてもよい。すなわち、スタッカ８は、ＡＤＦスキャナ５から排紙される原稿を受けたりＦＢスキャナ１４により読み取られる原稿を押さえたりする下降位置と、画像読取装置１の設置スペースが低減される上昇位置とに配置可能であればどのような移動をしてもよい。このとき、上昇位置は、画像読取装置１の設置スペースが低減されればどこでもよく、たとえば、ＡＤＦスキャナ５の上部でもよい。その移動としては、平行移動のみの移動、平行移動と回転移動とが合成された移動が例示される。画像読取装置１は、スタッカ８がこのように移動する場合でも、ＡＤＦスキャナ５から排紙される原稿が載置されることと、ＦＢスキャナ１４に読み取られる原稿を押さえることとの両方にスタッカ８が利用されていることにより、部品点数を低減することができる。
【００８５】
ところで、画像読取装置１は、スタッカ８が自動的に昇降するようにアクチュエータ４１が設けられているが、アクチュエータ４１を省略してもよい。このとき、スタッカ８は、ユーザに操作されることにより、上昇位置または下降位置に配置される。画像読取装置１は、アクチュエータ４１が省略された場合でも、ＡＤＦスキャナ５から排紙される原稿が載置されることと、ＦＢスキャナ１４に読み取られる原稿を押さえることとの両方にスタッカ８が利用されていることにより、部品点数を低減することができる。
【符号の説明】
【００８６】
１  ：画像読取装置
５  ：ＡＤＦスキャナ
６  ：用紙セット部
７  ：ＡＤＦ用紙検出センサ
８  ：スタッカ
１１：スキャンボタン
１２：表示装置
１４：ＦＢスキャナ
１５：引出機構
１６：透明平板
１７：天板
１８：収納空間
２２：ＦＢ用紙検出センサ
２３：引出センサ
３１：回転軸
３４：スタッカ用紙検出センサ
４１：アクチュエータ
４２：ハブ
４３：制御装置
４６：検出部
４７：アクチュエータ制御部
４８：スキャナ制御部
【図１】
0006542696.tif 000002
【図２】
0006542696.tif 000003
【図３】
0006542696.tif 000004
【図４】
0006542696.tif 000005
【図５】
0006542696.tif 000006
【図６】
0006542696.tif 000007
【図７】
0006542696.tif 000008
【図８】
0006542696.tif 000009
【図９】
0006542696.tif 000010